(57)【特許請求の範囲】
【請求項１】
少なくとも一つの入力映像信号を受信する手順と、色補正を生成する手順と、色補正映像信号のフレームレートを増加する手順と、を有する、映像ディスプレイにおける映像信号を色補正する方法であって、入力映像信号を受信する手順の後に、ディザリングされた非一様性色補正を生成する手順を含み、該ディザリングされた非一様性補正を生成する手順の後に、色補正映像信号を生成するため、該ディザリングされた非一様性色補正を該入力映像信号に適用する手順を含み、該ディザリングされた非一様性色補正を該入力映像信号に適用した後に、該色補正映像信号のフレームレートを増加する手順を含む、ことを特徴とする方法。
【請求項２】
フレームレートを増加する手順の後に、出力映像信号を生成するため、該色補正映像信号にガンマ補正を適用する手順と、該出力映像信号を、液晶オン・シリコン映像ディスプレイの光エンジンへ供給する手順と、を更に有することを特徴とする請求項１記載の方法。
【請求項３】
該ディザリングされた非一様性色補正を生成する手順は、データ記憶装置から、複数のＲＧＢ補正マトリックスを選択する手順と、該複数のＲＧＢ補正マトリックスからピクチャー・レベル補正を取得する手順と、該ピクチャー・レベル補正をディザリングする手順と、を更に有することを特徴とする請求項１記載の方法。
【請求項４】
該ピクチャー・レベル補正を取得する手順は、該入力映像信号の少なくとも一つの輝度レベルを測定する手順と、該少なくとも一つの輝度レベルに少なくとも基づいて、該複数のＲＧＢ補正マトリックスから該ピクチャー・レベルを補間する手順と、を含むことを特徴とする請求項３記載の方法。
【請求項５】
該ピクチャー・レベル補正を取得する手順は、該入力映像信号の少なくとも一つの輝度レベルを測定する手順と、該ピクチャー・レベル補正に対し、該少なくとも一つの輝度レベルに少なくとも基づいて、該複数のＲＧＢ補正マトリックスの中から少なくとも一つのＲＧＢ補正マトリックスを選択する手順と、を含むことを特徴とする請求項３記載の方法。
【請求項６】
該ピクチャー・レベル補正を取得する手順は、該入力映像信号の少なくとも一つの輝度レベルを測定する手順と、該輝度レベルが第１の値の範囲内に収まる場合に、該ピクチャー・レベル補正に対し、第１のＲＧＢ補正マトリックスを選択する手順と、該輝度レベルが第２の値の範囲内に収まる場合に、該ピクチャー・レベル補正に対し、第２のＲＧＢ補正マトリックスを選択する手順と、を含むことを特徴とする請求項３記載の方法。
【請求項７】
該ピクチャー・レベル補正を取得する手順は、該輝度レベルが第３の値の範囲に収まる場合に、該複数のＲＧＢ補正マトリックスから該ピクチャー・レベルを補間する手順を更に含むことを特徴とする請求項６記載の方法。
【請求項８】
該複数のＲＧＢ補正マトリックスを選択する手順の後に、該ＲＧＢ補正マトリックスに関して水平及び垂直画素補間を適用する手順を更に含むことを特徴とする請求項３記載の方法。
【請求項９】
該ディザリングされた非一様性色補正を該入力映像信号に適用する手順は、該ディザリングされた非一様性色補正信号を該入力映像信号に加算する手順を含むことを特徴とする請求項１記載の方法。
【請求項１０】
該ディザリングされた非一様性色補正を該入力映像信号に適用する手順は、該ディザリングされた非一様性色補正信号を該入力映像信号に乗算する手順を含むことを特徴とする請求項１記載の方法。
【請求項１１】
該ディザリングされた非一様性色補正を生成する手順は、データ記憶装置から少なくとも一つのＲＧＢ補正マトリックスを選択する手順と、画素補間ＲＧＢ補正マトリックスを生成するため、該ＲＧＢ補正マトリックスに関して水平及び垂直画素補間を適用する手順と、該画素補間ＲＧＢ補正マトリックスからピクチャー・レベル補正を取得する手順と、該ピクチャー・レベル補正をディザリングする手順と、を含むことを特徴とする請求項１記載の方法。
【請求項１２】
映像ディスプレイにおいて映像信号を色補正する方法であって、少なくとも一つの入力映像信号を受信する受信手順と、該受信手順の後に、非一様性色補正を生成する生成手順と、該生成手順の後に、色補正映像信号を生成するため、該非一様性色補正を該入力映像信号に適用する適用手順と、該適用手順の後に、該色補正映像信号のフレームレートを増加させる手順と、を有する方法であり、該非一様性色補正を生成する生成手順は、非一様性色補正信号を生ずる手順と、該非一様性色補正信号をディザリングする手順と、を有し、該非一様性色補正を適用する適用手順は、色補正映像信号を生成するため、該非一様性色補正を該少なくとも一つの入力映像信号に組み込む手順、を有する方法。
【請求項１３】
少なくとも一つの入力映像信号を受信する映像入力部と、色補正映像信号を生成する色非一様性補正器と、該色補正映像信号のフレームレートを増加させるフレームレート倍増器と、を具備する映像ディスプレイ用の映像信号を色補正するシステムであり、該色非一様性補正器は、非一様性色補正信号を生ずる補正発生器と、該非一様性色補正信号をディザリングするディザリング部と、色補正映像信号を生成するため、該非一様性色補正を該少なくとも一つの入力映像信号に組み込むプロセッサと、を有するシステム。
【請求項１４】
該色補正映像信号にガンマ補正を適用するガンマ補正器を更に有することを特徴とする請求項１３記載のシステム。
【請求項１５】
該プロセッサは加算器であることを特徴とする請求項１３記載のシステム。
【請求項１６】
該プロセッサは乗算器であることを特徴とする請求項１３記載のシステム。
【請求項１７】
複数のＲＧＢ補正マトリックスを保持する少なくとも一つのデータ記憶装置を更に有することを特徴とする請求項１３記載のシステム。
【請求項１８】
該少なくとも一つのデータ記憶装置は少なくとも一つのＥＥＰＲＯＭを含むことを特徴とする請求項１７記載のシステム。
【請求項１９】
ＲＧＢ補正マトリックスに関して画素補間を実行する少なくとも一つの水平及び垂直補間器を更に有することを特徴とする請求項１３記載のシステム。
【請求項２０】
該補正発生器は、該入力映像信号の輝度を検出し、輝度レベル測定量を出力する輝度検出器と、該輝度レベル測定量を受け取り、該輝度レベル測定量に基づいて色補正を生成するソフトスイッチと、を有するシステムであり、前記ソフトスイッチは、上位ＲＧＢ補間マトリックス、中間ＲＧＢマトリックス及び下位ＲＧＢマトリックスからＲＧＢ補正値を選択することを特徴とする請求項１３記載のシステム。
【請求項２１】
データ記憶装置を更に具備し、該ソフトスイッチは、該データ記憶装置から少なくとも一つのＲＧＢ補正マトリックスを受け取り、該少なくとも一つのＲＧＢ補正マトリックスから該色補正を行う、ことを特徴とする請求項２０記載のシステム。
【請求項２２】
水平及び垂直補間器を更に具備し、該ソフトスイッチは、該水平及び垂直補間器から少なくとも一つのＲＧＢ補正マトリックスを受け取り、該少なくとも一つのＲＧＢ補正マトリックスから該色補正を行う、ことを特徴とする請求項２０記載のシステム。
【請求項２３】
該ソフトスイッチは、該輝度レベル測定量が第１の値の範囲に収まる場合に、第１のＲＧＢ補正マトリックスを選択し、該ソフトスイッチは、該輝度レベル測定量が第２の値の範囲に収まる場合に、第２のＲＧＢ補正マトリックスを選択し、該ソフトスイッチは、該輝度レベル測定量が第３の値の範囲に収まる場合に、複数のＲＧＢ補正マトリックスを補間する、ことを特徴とする請求項２１記載のシステム。
【発明の詳細な説明】
【０００１】
【発明の属する技術分野】
本発明は、映像ディスプレイ光学系に係わり、特に、ディスプレイ光学系と共に使用される色補正技術に関する。
【０００２】
【従来の技術】
ＬＣＯＳ（液晶オン・シリコン）ディスプレイシステムは、従来の映像ディスプレイにおける陰極線管の代わりに、映像ディスプレイを生成するため、高圧ランプ及び光エンジンを含む。光エンジンは、高圧ランプから非常に明るい光を受け、光エンジン内に収容されたディスプレイ光学系によって光を処理する。ディスプレイ光学系は、典型的に、赤、緑、青の各基本色に対して設けられる。ディスプレイ光学系間の変動（ばらつき）は、ＬＣＯＳディスプレイに色非一様性を生じさせる傾向がある。例えば、特定のＬＣＯＳ光エンジンの緑色光学系は、左上隅で透過性が僅かに大きい場合を考える。これにより、表示画像の左上隅に緑色の区域が現れる。別のＬＣＯＳ光エンジンは、ディスプレイの他の領域に不均一区域がある。色非一様性の程度及び性質は、光エンジン間で非常に大きく変動する。それだけでなく、色非一様性は、画素輝度の関数としても変化する。したがって、色非一様性は、映像の輝度レベルが変化するのに伴って変動する。
【０００３】
色非一様性補正は、ＬＣＯＳディスプレイにおける色非一様性を解決するため実施されてきた。しかし、現在の実施手段は、色非一様性補正を実施するため、実質的な処理リソースを必要とする。色非一様性補正は、典型的に、フレームレート倍増及びガンマ補正が映像信号に適用された後に実行される。フレームレート倍増後に色非一様性補正を実行すると、色非一様性補正が元の映像信号に含まれるデータの２倍のデータに適用されることになる。さらに、ガンマ補正は、映像データのサイズを増大させる。したがって、色非一様性補正をガンマ補正後に実行することによって、処理すべき映像データの量が更に増加する。
【０００４】
【発明が解決しようとする課題】
これに対し、色非一様性補正を、フレームレート倍増及びガンマ補正の前に適用すると、更に重大な問題が生じる。色非一様性補正は、典型的に、映像信号に含まれる映像データの量を増加させる。しかし、フレームレート倍増器は、処理できる映像データの量に関して限界がある。かくして、「ビットボトルネック」が生成され、色非一様性補正を組み込む映像データは、フレームレート倍増器によって適切に処理され得なくなる。たとえ、色不均一補正映像が適切に倍増されるとしても、残りの処理コンポーネントによって取り扱われる映像データの量は増大する。そのため、フレームレートを増加させる前に設けられ、上述の問題を解決する色非一様性補正用方法及びシステムが求められる。
【０００５】
【課題を解決するための手段】
本発明による映像信号を映像ディスプレイに供給する方法及びシステムは、少なくとも一つの入力映像信号を受け取る手順と、ディザリングされた非一様性色補正の発生手順を含み得る非一様性色補正を発生する手順と、色補正映像信号を生成するため非一様性色補正を入力映像信号に適用する手順と、色補正映像信号のフレームレートを増加する手順と、を有する。この方法は、フレームレートを増加する手順の後に、出力映像信号を発生するため色補正映像信号ガンマ補正を適用する手順と、液晶オン・シリコン映像ディスプレイの光エンジンに出力映像信号を供給する手順と、を更に有する。
【０００６】
ディザリングされた非一様性色補正の発生手順は、データ記憶装置から複数のＲＧＢ補正マトリックスを選択する手順と、複数のＲＧＢ補正マトリックスからピクチャー・レベル補正を取得する手順と、ピクチャー・レベル補正をディザリングする手順と、を含む。水平及び垂直画素補間は、複数のＲＧＢ補正マトリックスを選択した後、ＲＧＢ補正マトリックスに関して実行される。ピクチャー・レベル補正を取得する手順は、入力映像信号の少なくとも一つの輝度レベルを測定する手順と、輝度レベルが第１の値の範囲内に収まる場合に、ピクチャー・レベル補正に対して第１のＲＧＢ補正マトリックスを選択する手順と、輝度レベルが第２の値の範囲内に収まる場合に、ピクチャー・レベル補正に対して第２のＲＧＢ補正マトリックスを選択する手順と、輝度レベルが第３の値の範囲内に収まる場合に、複数のＲＧＢ補正マトリックスからピクチャー・レベルを補間する手順と、を含む。ディザリングされた非一様性色補正は、入力映像信号に加えられるか、又は、入力映像信号に乗じられる。
【０００７】
映像信号を映像ディスプレイに供給するシステムは、少なくとも一つの入力映像信号を受け取る映像入力と、色補正映像信号を生成する色非一様性補正器と、色補正映像信号のフレームレートを増大するフレームレート倍増器と、色補正映像信号にガンマ補正を加えるガンマ補正器と、を具備する。色非一様性補正器は、非一様性色補正信号を発生する補正発生器と、非一様性色補正信号をディザリングするディザリング部と、色補正映像信号を発生させるため非一様性色補正を少なくとも一つの入力映像信号に組み込むプロセッサと、を含む。プロセッサは、加算器でもよく、或いは、乗算器でもよい。
【０００８】
このシステムは、複数のＲＧＢ補正マトリックスを保持するため少なくとも一つのデータ記憶装置を更に具備する。データ記憶装置は、少なくとも一つのＥＥＰＲＯＭを含む。ＲＧＢ補正マトリックスに関して画素補間を実行する少なくとも一つの水平及び垂直補間器を設けることができる。補正発生器は、入力映像信号の輝度を検出し、輝度レベル測定量を出力する輝度検出器と、輝度レベル測定値を受け取り、輝度レベル測定量に基づいて色補正を行うソフトスイッチと、を含む。ソフトスイッチは、データ記憶装置と水平及び垂直補間器のうちの少なくとも一方からＲＧＢ補正マトリックスを受け取ることができる。ソフトスイッチは、輝度測定レベルが第１の値の範囲内に収まる場合に第１のＲＧＢ補正マトリックスを選択し、輝度測定レベルが第２の値の範囲内に収まる場合に第２のＲＧＢ補正マトリックスを選択し、輝度測定レベルが第３の値の範囲内に収まる場合に複数のＲＧＢ補正マトリックスを補間することが可能である。
【０００９】
【発明の実施の形態】
図１は、色非一様性補正を実施する液晶オン・シリコン（ＬＣＯＳ）ディスプレイ１００のブロック構成図である。ＬＣＯＳディスプレイ１００は、映像源１５０から映像データを受信することができる。映像源１５０は、マルチメディア装置でもよく、例えば、テレビチューナー、デジタルビデオディスク（ＤＶＤ）プレーヤー、ビデオカセットレコーダ（ＶＣＲ）、パーソナルビデオレコーダ（ＰＶＲ）、デジタル放送受信装置などが含まれる。典型的に、映像源１５０は、マルチメディアデータを処理し、ＬＣＯＳディスプレイ１００に適合したフォーマットで映像データを出力する映像プロセッサを組み込み得る。
【００１０】
ＬＣＯＳディスプレイ１００は、映像入力部１０５と、色費一様性補正器１１０と、付随した電気的消去可能プログラマブル読み出し専用メモリ（ＥＥＰＲＯＭ）１１５と、フレームレート倍増器１２０と、ガンマ補正器１２５と、関連したＥＥＰＲＯＭ１３０と、光エンジン１３５と、高圧ランプ１４０と、ＬＣＯＳスクリーン１４５と、を具備する。映像入力部１０５は、映像源１５０から入力映像信号を受信し、入力映像信号を色非一様性補正器１１０へ転送する。
【００１１】
色非一様性補正器１１０は、色補正映像信号を発生させるため、色不均一性補正を入力映像信号に組み入れる。ＥＥＰＲＯＭ１１５は、ＬＣＯＳスクリーン１４５の赤、緑及び青のＲＧＢ輝度レベルを補正するため、複数のＲＧＢ補正マトリックスを保持する。ＲＧＢ補正マトリックスは、非一様性補正を行うため使用され、ＬＣＯＳディスプレイ１００の製造中若しくは製造後にＬＣＯＳディスプレイ１００に関して行われたテスト測定から作成され得る。
【００１２】
光エンジン１３５の液晶は、ＤＣ電圧による損傷を被るので、ＡＣ電圧だけによって駆動される。液晶は、電圧の絶対値に応答するので、画素は第１の信号極性によって駆動され、次に、反対の信号極性によって駆動される。したがって、フレームレート倍増器１２０は、受信した色補正映像の各フレームから反対極性の二つの映像フレームを発生し得る。これにより、色補正映像信号の各フレームは、極性毎に１回ずつの併せて２回表示される。しかしながら、ＬＣＯＳディスプレイ１００は、フレームレートの２倍だけに制限されないことに注意する必要がある。例えば、別の構成例では、色補正映像信号のフレームレートは、多数倍、例えば、３倍、４倍、５倍、６倍（以下同様に続く）のように増大される。
【００１３】
ガンマ補正器１２５は、信号のフレームレートが倍増された後、出力映像信号を発生させるため、色補正映像信号にガンマ補正を適用する。ガンマ補正は、液晶イメージャーの反射率と印加電圧の間の非線形関係を補正する非線形変換特性をもつ。ガンマ補正は、映像信号のビット数を増加させ、フレームレート倍増器１２０は、典型的に、処理可能な映像データの量に関して制限されるので、ガンマ補正器１２５は、フレームレート倍増器１２０の後に設置する方が有利である。ＥＥＰＲＯＭ１３０は、光エンジン１３５に関連した複数のガンマ補正データを保持する。
【００１４】
光エンジン１３５は、高圧ランプ１４０からの光を受ける。この光は、光エンジン内のプリズムに向けられ、プリズムで光はＲＧＢの３種類の基本色ストリームに分割される。３種類の個別の光ストリームは、対応した光バルブへ向けられる。光バルブは、イメージャーとして知られている光エンジンに収容された高反射率のミラーであり、出力映像信号がイメージャーの表面から反射されるときに、出力映像信号を捕捉することができる。同一の映像信号の特定の部分に関連付けられた３種類の各光ストリームは、プリズム内で、単一の同期映像信号に再合成され、この単一の同期映像信号は表示のためＬＣＯＳスクリーン１４５へ転送される。本実施例はＬＣＯＳディスプレイに関する実施例であるが、本発明は、ＬＣＯＳディスプレイに限定されるものではなく、他の液晶ディスプレイと共に使用することが可能であることに注意する必要がある。
【００１５】
図２Ａには、本発明の一実施例による色非一様性補正器１１０のブロック構成図が示されている。上位ＲＧＢ補正マトリックス２０５は、赤、緑、及び青に対して一つずつ、ＥＥＰＲＯＭ１１５に保存される。システム起動時に、上位ＲＧＢ補正マトリックス２０５は、ＥＥＰＲＯＭ１１５からランダム・アクセス・メモリ（ＲＡＭ）２０２に転送してもよい。上位水平及び垂直補間器（ＨＨＶＩ）２１０は、ＲＡＭ２０２から赤色の上位ＲＧＢ補正マトリックス２０２を読み出す。上位ＲＧＢ補正マトリックス２０５は、ＬＣＯＳスクリーン１４５内の有限個の個別の画素に相関する補正値を収容する。例えば、上位ＲＧＢ補正マトリックス２０５における補正値は、３０％の輝度レベルを有する映像信号に対する必要輝度調節レベルに基づいて決めることができる。
【００１６】
ＨＨＶＩ２１０は、補間上位ＲＧＢ補正マトリックス（上位補正マトリックス）を発生させるため、上位ＲＧＢ補正マトリックス２０５に関して水平及び垂直補間を実行する。水平及び垂直補間プロセスは、上位ＲＧＢ補正マトリックス２０５内に表現された画素間にある画素に相関した補正値を導き出す。
【００１７】
下位ＲＧＢ補正マトリックス２１５は、システム起動時に、ＥＥＰＲＯＭ１１５からＲＡＭ２１２へ転送される。システム動作中に、下位ＲＧＢ補正マトリックス２１５は、ＲＡＭ２１２から下位水平及び垂直補間器（ＬＨＶＩ）２２０へ供給される。下位ＲＧＢ補正マトリックス２１５は、上位ＲＧＢ補正マトリックス２０５と同じ構造を持つものでも構わない。しかし、下位ＲＧＢ補正マトリックス２１５は、例えば、１０％の輝度基準レベルで、ＬＣＯＳスクリーン１４５上の下位ＲＧＢ輝度値に対する補正基準値を収容し得る。ＨＨＶＩ２１０の場合と同様に、ＬＨＶＩ２２０は、離散ポイントのＲＧＢ補正基準値を使用して水平及び垂直補間を実行する。したがって、ＬＨＶＩ２２０は、下位輝度レベル補正値を収容する下位ＲＧＢ補間マトリックスを発生し得る。
【００１８】
図２Ｂには、色非一様性補間器１１０の他の実施例が示されている。図２Ａに示された実施例の構成要素の他に、図２Ｂの色非一様性補正器１１０は、中間補正マトリックス２７５と、中間水平及び垂直補間器（ＭＨＶＩ）２６０と、を更に具備する。中間ＲＧＢ補正マトリック２７５は、２０％の輝度レベルをもつ映像信号に対する必要輝度調整レベルに基づいて与えられる。システム動作中に、中間ＲＧＢ補正マトリックス２７５は、中間補間マトリックスを発生させるため、ＲＡＭ２７２からＭＨＶＩ２６０へ供給され得る。中間ＲＧＢ補正マトリックス２７５は、上位ＲＧＢ補正マトリックス２０５及び下位ＲＧＢ補正マトリックス２１５と同じ構造でもよい。
【００１９】
一実施例によれば、ＨＨＶＩ２１０、ＬＨＶＩ２２０及びＭＨＶＩ２６０によって実行される補間プロセスは連続的であり、ＲＧＢ補正値は、ソフトスイッチ２３０によって要求された画素に対して補間される。他の一実施例では、ＲＧＢ補正マトリックスは、１回だけ補間され、得られた上位ＲＧＢマトリックス、中間ＲＧＢマトリックス及び下位ＲＧＢマトリックスが、ＥＥＰＲＯＭのような記憶装置に保持され、システム起動時にＲＡＭへ転送される。この場合、ソフトスイッチ２３０は、連続的な水平及び垂直補間を要求とすることなく、必要に応じてＲＡＭから補正値を取得することができる。
【００２０】
上述の通り、ＲＧＢ補正マトリックス２０５、２１５及び２７５は、ＬＣＯＳディスプレイ１００の製造中又は製造後にＬＣＯＳディスプレイ１００に関して行われるテスト測定に基づいて生成され得る。更に、付加的なＲＧＢ補正マトリックスを様々な輝度レベルに対して設定してもよい。
【００２１】
輝度検出器２２５は、入来する映像信号における各画素の赤、青及び緑の各成分の個々の輝度を測定し、画素毎の輝度レベルを発生させるため、その測定値を合計する。例えば、特定の画素の赤色輝度が１０であり、緑色輝度が２０であり、青色輝度が５０である場合、画素の輝度は８０である。各画素の輝度レベルは、ソフトスイッチ２３０へ転送される。ソフトスイッチ２３０は、輝度レベルを評価し、測定輝度データに基づいて、ピクチャー・レベル補正を行う。ピクチャー・レベル補正は、画素毎のＲＧＢ補正値を収容し得る。一構成例によれば、ソフトスイッチ２３０は、上位ＲＧＢ補間マトリックス、中間ＲＧＢ補間マトリックス及び下位ＲＧＢ補間マトリックスからＲＧＢ補正値を選択する。
【００２２】
ソフトスイッチは、基準輝度値、例えば、上位輝度閾値、中間輝度閾値及び下位輝度閾値に対する値の間に収まる輝度レベルに対しＲＧＢ補間マトリックスからの値を補間し得る。画素に対する輝度が上位画素閾値を超える場合、ソフトスイッチ２３０は、その画素に対して、上位ＲＧＢ補間マトリックスから相関するＲＧＢ補正値を選択し、その補正値をピクチャー・レベル補正のため使用する。次の画素は、下位輝度閾値を下回る輝度値を持つ場合がある。その場合、ソフトスイッチ２３０は、下位ＲＧＢ補間マトリックスから、その画素のため相関するＲＧＢ補間値を選択し、ピクチャー・レベル補正のためその補正値を使用する。
【００２３】
図２Ｂに示された例の場合、第３の画素は、上位閾値と中間閾値の間の輝度をもつ。この場合、ソフトスイッチ２３０は、ピクチャー・レベル補正における第３の画素に対する新しいＲＧＢ補正値を得るため、上位ＲＧＢ補間マトリックス及び中間ＲＧＢ補間マトリックスに収容された相関するＲＧＢ補正値を補間することができる。第４の画素が中間閾値と下位閾値の間の輝度値をとる場合、ソフトスイッチ２３０は、第４の画素のＲＧＢ補正値を獲得するため、中間補間マトリックス及び下位補間マトリックスに収容された相関するＲＧＢ補正値を補間する。
【００２４】
上述の通り、付加的なＲＧＢ補間マトリックスを設置してもよい。その場合、ソフトスイッチは、これらのマトリックスからの値も同じように補間することができる。図２Ａの場合のように、２個のＲＧＢ補間マトリックスだけが設けられた場合、ソフトスイッチは、上位基準値と下位基準値の間に収まる輝度レベルに対し、上位ＲＧＢ補間マトリックス及び下位ＲＧＢ補間マトリックスからの値を補間することができる。
【００２５】
ディザリング部２３５は、ソフトスイッチ２３０からピクチャー・レベル補正を取得し、ピクチャー・レベル補正をディザリングする。ディザリング部２３５は、内部に収容された補正値のビット分解能を削減するため、ピクチャー・レベル補正をディザリングすることが可能である。映像処理の分野の専門家には周知であるように、ディザリングは、要求色が得られない場合に、他の色の混合物からその色を近似する。例えば、８ビット値がピクチャー・レベル補正に含まれル場合、この８ビット値は、特定のシーケンスに与えられた２個以上の６ビット値によって近似される。この特定のシーケンスは、特定の期間に表示された６ビット値の平均が、元のディザリングされていない８ビット値に一致するか、若しくは、近似するように選択される。例えば、８ビットのピクチャー補正値が５５．７５である場合、ディザリング結果は、４サイクル期間に亘って表示された以下のシーケンス：５６、５６、５６及び５５である。
【００２６】
プロセッサ２４０は加算器としてエンコードすることが可能であり、色補正出力映像信号を発生させるため、ディザリングされたピクチャー・レベル補正を入力映像に加算する。本実施例の場合、ピクチャー・レベル補正に収容される補正値は加法的な値である。代替的な実施例として、乗算器をプロセッサ２４０として使用してもよい。この代替例な実施例の場合、ピクチャー・レベル補正に含まれる補正値は、増倍率（乗数）である。
【００２７】
図３には、ＲＧＢ補正マトリックス３００の一例が示されている。３個のＲＧＢ補正マトリックスが基準輝度レベル毎に設けられ、一つのマトリックスがＲＧＢの一つの色に対応する。離散ポイント３０５は、ＬＣＯＳスクリーン１４５の寸法内にぴったり嵌る格子パターン内に等間隔で配置される。例えば、離散ポイント３０５は、６行９列（６×９）の格子パターンに配置される。例えば、画素３１５は、画素３１０：１、画素３１０：２、画素３１０：３及び画素３１０：４の間に存在する。画素３１０：１〜３１０：４は、離散ポイント３０５に配置され、画素３１０：１〜３１０：４に対するＲＧＢ補正値は、対応した各離散ポイント３０５に対するＲＧＢ補正値でもよい。画素３１５に対するＲＧＢ補正値は、映像処理の専門家にとって公知である水平及び垂直補間技術を用いて、画素３１０：１〜３１０：４に対する補正値から補間される。
【００２８】
例えば、画素３１５の水平位置が記憶され、画素３１５の水平位置に相関する第１の水平基準値３２０を得るため、画素３１０：１及び画素３１０：２に対する補正値に関して水平補間が実行される。続いて、画素３１５の水平位置に相関する第２の水平基準値３２５を得るため、画素３１０：３及び画素３１０：４に対する補正値に関して水平補間が実行される。次に、画素３１５の垂直位置が記憶され、画素３１５の垂直位置に相関する第１の水平基準値３２０及び第２の水平基準値３２５に基づいて垂直補間が実行され、画素３１５に対する補正値が得られる。典型的に、水平及び垂直補間プロセス中に２ビットの端数が生成される。例えば、画素３１０：１〜３１０：４に対する補正値が６ビット値である場合、画素３１５に対する補間補正値は、６ビットの基本ビットと２ビットの端数ビットとからなる８ビットである。これらの端数ビットは、画素３１５に対して導出された補正値中に保持され、対応したＲＧＢ補正マトリックスに組み込まれ、後でディザリングプロセス中に取り除かれる。
【００２９】
図４は、上位ＲＧＢ補正マトリックス及び下位ＲＧＢ補正マトリックスを使用して非一様性補正を実行する方法を説明するフローチャート４００を示す図である。上述の通り、付加的なＲＧＢ補正マトリックスも同様に使用できる。ステップ４０５で、ＨＨＶＩ２１０及びＬＨＶＩ２２０は、夫々、上位ＲＧＢ補間マトリックス及びＲＧＢ下位補間マトリックスを生成するため、上位ＲＧＢ補正マトリックス２０５及び下位ＲＧＢ補正マトリックス２１５を補間する。ステップ４１０において、輝度検出器２２５は、入来する映像信号中の各画素の赤色成分、青色成分及び緑色成分の個別の輝度を測定し、各画素の輝度レベルを生成するためこれらの測定量を合計する。各画素の輝度レベルは、ステップ４１５に示されるようにソフトスイッチ２３０へ転送され得る。
【００３０】
判定ステップ４２０及びステップ４２５を参照するに、画素に対する輝度レベルが第１の値Ｘ以下である場合、その画素に対するＲＧＢ補正値は、下位ＲＧＢ補間マトリックス内の対応した補正値から選択され、ピクチャー・レベル補正に入れられる。判定ステップ４３０及びステップ４３５を参照するに、画素に対する輝度レベルが第２の値Ｘ以上である場合、その画素に対するＲＧＢ補正値は、上位ＲＧＢ補間マトリックス内の対応した補正値から選択され、ピクチャー・レベル補正に入れられる。画素に対する輝度値がＸよりも大きく、Ｙよりも小さい場合、その画素に対するＲＧＢ補正値は、ステップ４４０で、上位ＲＧＢ補間マトリックス及び下位ＲＧＢ補間マトリックス内の対応した補正値から補間され、ピクチャー・レベル補正に入れられる。
【００３１】
ステップ４４５において、ディザリング部２３５は、上述の通り、ピクチャー・レベル補正内部に格納された補正値のビット分解能を削減するため、ピクチャー・レベル補正をディザリングする。ステップ４５０において、加算器２４０は、色補正出力映像信号を生成するため、ピクチャー補正を入力映像信号に加える。色補正出力映像信号は、ステップ４５５において、出力として光エンジンへ供給される。上述の通り、加算器２４０の代わりに乗算器を使用してもよい。
【００３２】
以上の例及び実施例は、例示の目的のためだけに記載されたものであり、当業者によって示唆され得るこれらの例及び実施例の様々な変更或いは変形は、本願の精神と範囲に含まれることが認められるであろう。本発明は、本発明の精神或いは不可欠な属性から逸脱することなく、本発明の範囲を示すため他の特定の形態を取ることが可能である。
【図面の簡単な説明】
【図１】本発明による色非一様性補正を具現化する液晶オン・シリコン・ディスプレイのブロック構成図である。
【図２Ａ】本発明による色非一様性補正用補正器の一実施例のブロック構成図である。
【図２Ｂ】本発明による色非一様性補正用補正器の他の実施例のブロック構成図である。
【図３】本発明に従って、格子状に並べられ補正値と関連付けられた離散ポイントのマトリックスを示す説明図である。
【図４】本発明による非一様性補正を実行する方法を説明するフローチャートである。
【符号の説明】
１００    ＬＣＯＳディスプレイ
１０５    映像入力
１１０    色非一様性補正器
１１５    ＥＥＰＲＯＭ
１２０    フレームレート倍増器
１２５    ガンマ補正器
１３０    ＥＥＰＲＯＭ
１３５    光エンジン
１４０    高圧ランプ
１４５    ＬＣＯＳスクリーン
１５０    映像源
【図１】
0004902933.tif 000002
【図２Ａ】
0004902933.tif 000003
【図２Ｂ】
0004902933.tif 000004
【図３】
0004902933.tif 000005
【図４】
0004902933.tif 000006